(57)【特許請求の範囲】
【請求項１】
互いに平行に延びる２つの矩形状の側面部と、その側面部の全周縁を連接する周回面部とを有する直方体形状の機器ケースを備え、
前記２つの側面部を設置面上に前記設置面と平行になるように置く横向き設置と、前記２つの側面部を設置面上に前記設置面に直交するようにスタンドを前記機器ケースに着脱可能に取り付けて置く縦向き設置とが可能で、前記機器ケース内に電子回路を収納している卓上電子機器であって、
前記機器ケースの側面部の、少なくとも１つの角部付近に前記角部付近を中心とする円弧状の係合溝部又は係合凸部が形成される一方、
前記スタンドは、内側面が前記２つの側面部の間隔に対応する間隔を挟んで平行に延び前記機器ケースへの取り付け状態で前記両内側面の間に前記機器ケースの角部を挟む左右側部と、それら左右側部の一端部を連結する連結部とを備えるとともに、前記内側面に、前記係合溝部又は前記係合凸部に対応する円弧形状を有しそれらにスライド可能に係合する係合凸部又は係合溝部が形成されていることを特徴とする卓上電子機器。
【請求項２】
前記機器ケースの２つの側面部のうち少なくとも一方の側面部の四隅にゴム支持脚が設けられ、
前記ゴム支持脚が設けられた側面部に対応する、前記スタンドの内側面に、前記機器ケースへの前記スタンドの取り付けの際に前記ゴム支持脚が相対移動可能でかつ前記ゴム支持脚を収納可能である支持脚用凹部が形成されていることを特徴とする請求項１記載の卓上電子機器。
【請求項３】
前記支持脚用凹部は、取り付け状態で下面側に開口する凹部であり、
前記側面部に形成される前記係合溝部または係合凸部は、前記支持脚用凹部を囲むように湾曲して延びていることを特徴とする請求項１または２記載の卓上電子機器。
【請求項４】
前記スタンドの連結部は、前記機器ケースの角部が係合する湾曲形状の係合凹部が形成され、
前記連結部の係合凹部に前記機器ケースの角部を接触させた状態で、前記係合凸部が前記係合溝部の開口部分に係合可能な位置になる構成とされていることを特徴とする請求項１〜３のいずれかに記載の卓上電子機器。
【発明の詳細な説明】
【技術分野】
【０００１】
本発明は、増幅回路等の電子回路が収納されている機器ケースの側壁面から複数本のケーブルが導出される卓上電子機器に関するものである。
【背景技術】
【０００２】
従来より、ＣＡＴＶ施設のセンター側から伝送されるテレビジョン放送信号が所望レベルより小さい時には、このテレビジョン放送信号を増幅するブースタが用いられている。
【０００３】
このブースタは、テレビジョン放送信号を増幅する電子回路が機器ケース内に内蔵され、前記機器ケースの側壁面に、前記電子回路にテレビジョン放送信号を供給する入力端子と、電子回路により増幅されたテレビジョン放送信号を出力する出力端子が設けられ、この入力端子および出力端子にはそれぞれ同軸ケーブルの先端に設けられたＦ型コネクタが接続される。
【０００４】
このようなブースタのうち、テレビ等の上に設置される卓上ブースタは、近年、コンパクト化されてきており、直方体形状の機器ケースを備えている。このような形状の卓上ブースタは、テレビ等の上に横長状態で設置されたり、縦長状態で設置されたりする。
【０００５】
そこで、ケーブルによる引っ張り荷重が印加された際の支点を機器ケースの外側へ移動させる保持具を、機器ケースにおける複数本のケーブルが導出される側壁面に脱着可能に取り付けられるようにして、ケーブルの自重を保持具が支えるようになり機器ケースの前部が浮き上がってしまうことを防止した卓上電子機器が提案されている（例えば特許文献１参照）。
【特許文献１】特開２００５−２１７２５７号公報（段落００１９〜０２１及び図２５〜図２９）
【発明の開示】
【発明が解決しようとする課題】
【０００６】
特許文献１記載のスタンドは、機器ケースの係合突起部と保持具のくさび状突部（直立片）との係合関係で取り付ける構造で、くさび状突部（直立片）が撓むと外れてしまい、係合強度が十分とはいえない。また、それらの係合部分が外観に露出されるため、見栄えを損なう。
【０００７】
この発明は、着脱可能なスタンドを用いて縦向きに設置する場合に、見栄えを損ねることなく、設置安定性を高めることができる卓上電子機器を提供することを目的とする。
【課題を解決するための手段】
【０００８】
請求項１の発明は、互いに平行に延びる２つの矩形状の側面部と、その側面部の全周縁を連接する周回面部とを有する直方体形状の機器ケースを備え、前記２つの側面部を設置面上に前記設置面と平行になるように置く横向き設置と、前記２つの側面部を設置面上に前記設置面に直交するようにスタンドを前記機器ケースに着脱可能に取り付けて置く縦向き設置とが可能で、前記機器ケース内に電子回路を収納している卓上電子機器であって、前記機器ケースの側面部の、少なくとも１つの角部付近に前記角部付近を中心とする円弧状の係合溝部又は係合凸部が形成される一方、前記スタンドは、内側面が前記２つの側面部の間隔に対応する間隔を挟んで平行に延び前記機器ケースへの取り付け状態で前記両内側面の間に前記機器ケースの角部を挟む左右側部と、それら左右側部の一端部を連結する連結部とを備えるとともに、前記内側面に、前記係合溝部又は前記係合凸部に対応する円弧形状を有しそれらにスライド可能に係合する係合凸部又は係合溝部が形成されていることを特徴とする。ここで、前記円弧状の係合溝部又は係合凸部は、機器ケースの少なくとも一方の側面部に形成すればよく、両側面部に形成する必要がないのはいうまでもない。
【０００９】
このようにすれば、機器ケースの側面部の、少なくとも１つの角部付近に前記角部付近を中心とする円弧状の係合溝部又は係合凸部に、スタンドの内側面の係合凸部又は係合溝部を係合させることで、スタンドが機器ケースに着脱可能に取り付けられるようにしているので、機器ケースへのスタンドの取付構造が外観からははっきりと分からないようにすることができる。よって、見栄えを損ねることなく、スタンドを着脱可能に取り付けることができ、そのスタンドによって、安定した縦向き設置を実現することができる。
【００１０】
また、機器ケースにスタンドを取り付けた状態で、機器ケースからスタンドへの荷重の作用方向が、係合凸部と係合溝部との係合方向と同じ方向になるので、スタンドが外れないようにしっかりと固定する必要がなく、抜け止め構造を簡単な構造にすることができ、構造の簡素化の点で有利である。
【００１１】
請求項２に記載のように、前記機器ケースの２つの側面部のうち少なくとも一方の側面部の四隅にゴム支持脚が設けられ、前記ゴム支持脚が設けられた側面部に対応する、前記スタンドの内側面に、前記機器ケースへの前記スタンドの取り付けの際に前記ゴム支持脚が相対移動可能でかつ前記ゴム支持脚を収納可能である支持脚用凹部が形成されている構成とすることができる。
【００１２】
このようにすれば、横向き設置の場合の安定設置のためのゴム支持脚が、側面部の四隅の角部付近に表面より突出するように設けられていても、そのゴム支持脚はスタンドの収納凹部内に収納されるので、ゴム支持脚がスタンドの取り付けを妨げるおそれがない。
【００１３】
請求項３に記載のように、前記支持脚用凹部は、取り付け状態で下面側に開口する凹部であり、前記側面部に形成される前記係合溝部または係合凸部は、前記支持脚用凹部を囲むように湾曲して延びていることが望ましい。
【００１４】
このようにすれば、収納凹部は、取り付け状態で下面側に開口するので、外観からは見えず、見栄え（デザイン）を損なうことがない。また、係合凸部は、前記凹部を囲むように前記連結部付近から下面側に湾曲して延びているので、それらをスタンド（側部）にて隠すように無理なく配置することができる。
【００１５】
ところで、係合凸部及び係合凹部を直線形状として、縦向き設置時に機器ケースの後面や底面からスタンドを差し込む構造とすることも可能であるが、この場合、ゴム脚との干渉を回避する収納凹部の開口が、機器ケースとスタンドとの間の隙間として現れ、外観を損ねることになる。また、その開口を底面側に位置させるには、機器ケースの後方斜め上から下に向けて差し込む構造とすることも考えられるが、この場合には、後面への突起物（例えば電源ケーブル）をかなり離れた位置に配置しなければならず、また、設置時の荷重作用方向がスタンドの取り外し方向に近くなるため、強固な抜け止め構造が必要となるなどのデメリットがある。
【００１６】
請求項４に記載のように、前記スタンドの連結部は、前記機器ケースの角部が係合する湾曲形状の係合凹部が形成され、前記連結部の係合凹部に前記機器ケースの角部を接触させた状態で、前記係合凸部が前記係合溝部の開口部分に係合可能な位置になる構成とされていることが望ましい。
【００１７】
このようにすれば、前記連結部の係合凹部に前記機器ケースの角部を接触させた状態で、前記係合凸部の一端部が前記係合溝部の開口部分に一致する構成とされているので、前記接触部分を回転中心として、係合凸部と係合溝部とを相対回転させることで、前記機器ケースにスタンドが着脱可能に取り付けられ、その取付作業が容易になる。
【発明の効果】
【００１８】
本発明は、機器ケースの側面部の、少なくとも１つの角部付近に前記角部付近を中心とする円弧状の係合溝部又は係合凸部に、スタンドの内側面の係合凸部又は係合溝部を係合させることで、前記スタンドを機器ケースに着脱可能に取り付けるようにしているので、機器ケースへのスタンドの取付構造を、外観からは、はっきりと分からないようにすることができる。よって、見栄えを損ねることなく、スタンドを着脱可能に取り付けることができ、そのスタンドによって、安定した縦向き設置を実現することができる。
【発明を実施するための最良の形態】
【００１９】
以下、本発明の実施の形態を図面に沿って説明する。
【００２０】
図１が本発明に係る卓上ブースタ（卓上電子機器）の縦向き設置状態を示す側面図、図２は卓上ブースタの横向き設置状態を示す側面図、図３はブースタ本体の斜視図、図４は図３に示すブースタ本体を反転させた状態を示す斜視図である。
【００２１】
図１及び図２に示すように、卓上ブースタ１は、ＣＡＴＶ施設から伝送されてきたテレビジョン放送信号を増幅する電子回路（図示せず）がほぼ直方体形状の機器ケース１１Ａ内に収納されたブースタ本体１１と、このブースタ本体１１の下部を支持するスタンド１２とを備え、機器ケース１１Ａ及びスタンド１２は、ともに合成樹脂材料にて成形されたものである。ブースタ本体１１の背面部には同軸ケーブル２１，２２の先端に設けられたＦ型コネクタが接続されるＦ型接栓１４Ａ，１４Ｂ及び電源ケーブル１５を上側から順に備える。スタンド１２は、図１に示すように、縦向きに設置する場合に用いられるもので、横向きに設置される場合には、図２に示すように、ブースタ本体１１から取り外され、スタンド１２が取り外された状態で設置される。
【００２２】
機器ケース１１Ａは、互いに平行に延びる２つの矩形状の側面部１１Ａａ，１１Ａｂと、その側面部１１Ａａ，１１Ａｂの全周縁を連接する周回面部１１Ａｃとを有する直方体形状である。周回面部１１Ａｃは、４つの面部つまり側面部１１Ａａ，１１Ａｂの長辺側に対応する長さの長い２つの面部１１Ａｃａと、短辺側に対応する長さの短い２つの面部１１Ａｃｂとを有し、それらの面部１１Ａｃａ，１１Ａｃｂの連接部分である４つの角部１１Ａｄは、外方に凸の湾曲面となっている。そして、最も面積が大きな２つの側面部１１Ａａ，１１Ａｂのうち一方の側面部１１Ａｂ（横向きに設置する場合に底面となる面）には、ブースタ本体１１を横向きに設置した場合の滑り止めとなる横向き設置用のゴム支持脚１６が、側面部１１Ａｂの四隅に取り付けられている。
【００２３】
また、両側面部１１Ａａ，１１Ａｂには、縦向きに設置した場合に下端となる２つの角部うち一方の角部１１Ａｄ（電源コード１５が設けられている側の角部）に、一端が背面側に開放される円弧形状の係合溝部１３，１３が相互に対応して形成されており、この係合溝部１３，１３には、比較的高さの低い突起１３ａ，１３ａが突出して設けられている（図７参照）。側面部１１Ａｂにおいては、係合溝部１３は、ゴム支持脚１６の周囲を囲むように、角部１１Ａｄ付近を中心とする円弧状に形成されている。
【００２４】
スタンド１２は、下面が開放された中空成形体で、図５及び図６に示すように、側面視でほぼ三角形状の左右側部１２Ａ，１２Ｂと、それら左右側部１２Ａ，１２Ｂの一端部を連結する連結部１２Ｃとを備える。左右側部１２Ａ，１２Ｂは、２つの側面部１１Ａａ，１１Ａｂの間隔に対応する間隔を挟んで平行に延びる内側面１２Ａａ，１２Ｂａを有し、左右側部１２Ａ，１２Ｂの間にブースタ本体１１（機器ケース１１Ａ）の角部１１Ａｄを挟んだ状態になるように着脱可能に取り付けられる。
【００２５】
左右側部１２Ａ，１２Ｂの、対向する各内側面１２Ａａ，１２Ｂａには、係合溝部１３，１３に対応する円弧形状の突条部３１，３１（係合凸部）が設けられ、この突条部３１，３１上に、比較的高さの低い突起３１ａ，３１ａが突出して設けられている。
【００２６】
また、内側面１２Ａａ，１２Ｂａのうち一方の内側面１２Ａａには、スタンド１２を取り付ける際にゴム支持脚１６との接触を回避するための収納凹部３２が、取り付け状態でスタンド２の下面側に開口するように設けられている。この収納凹部３２の周囲を囲むように突条部３１が連結部１２Ｃから収納凹部３２の周囲に延びるように形成されている。収納凹部３２は、スタンド取り付けの際に、ゴム支持脚１６の回転軌跡を含む大きさとされている。
【００２７】
連結部１２Ｃの下面側には、ブースタ本体１１の角部１１Ａｄに対応する湾曲形状の係合凹部１２Ｃａがそれぞれ形成され、連結部１２Ｃの係合凹部１２Ｃａにブースタ本体１１の角部１１Ａｄを接触させた状態で、突条部３１の一端部が係合溝部１３の開口部分に合致し、それらが簡単に係合可能な位置になる構成とされている（図７（ｂ）参照）。また、連結部１２Ｃの上側には、電源コード１５との干渉を避けるために、ケース１１Ａへの電源コード１５の接続部分に対応する切り欠き部１１Ｃｂが形成されている。連結部１２Ｃの内部には、取り付け状態で下面側となる方向に突出する１対のボス部１１Ｃｄが形成され、そのボス部１１Ｃｄの先端に、縦向き設置用のゴム支持脚３３が設けられている。
（横向きに設置する場合）
横向きに設置する場合には、スタンド１２をブースタ本体１に取り付けることなく、ゴム支持脚１６を設けた側面部１１Ａｂが下側に、もう一つの側面部１１Ａａが上側になるように水平な場所（設置面）、例えば机上に設置することになる。これにより、２つの側面部１１Ａａ，１１Ａｂを前記設置面上に前記設置面と平行になるように置く横向き設置状態となる。ここで、Ｆ型接栓１４Ａ，１４Ｂには同軸ケーブル２１，２２の先端に設けたＦ型コネクタが接続され、電源ケーブル１５の端部のプラグは、図示しないコンセントに差し込まれる。
（縦向きに設置する場合）
縦向きに設置する場合には、図１に示すように、スタンド１２をブースタ本体１１に取り付けて、２つの側面部１１Ａａ，１１Ａｂを設置面上に前記設置面に直交するように、スタンド１２を利用して縦向きに安定設置することになる。
【００２８】
具体的には、図７（ａ）に示すように、まずブースタ本体１１の所定のゴム支持脚１６に収納凹部３２が、係合溝部１３の開放端に突条部３１の先端がそれぞれ対向するように配置する。その状態で、図７（ｂ）に示すように、ブースタ本体１１の角部１１Ａｄを連結部１２Ｃの係合凹部１２Ｃａに接触させれば、収納凹部３２内にゴム支持脚１６が、係合溝部１３の開放端付近に突条部３１の先端部分がそれぞれ進入する。それから、係合溝部１３および突条部３１の円弧の中心を回転中心として、図７（ｃ）に示すように、突条部３１を係合溝部１３内に押し込むようにブースタ本体１１とスタンド１２とを相対回転すると、スタンド１２がブースタ本体１１に取り付けられる。スタンド１２の回転は、係合溝部１３の奥に突条部３１の先端が衝突することで停止し、その位置がスタンド固定の位置となる。この停止直前に突条部３１上の突起３１ａ，３１ａが係合溝部１３内の突起１３ａ，１３ａを乗り越え、これらの突起１３ａ，３１ａの関係が、取り外し方向への不用意な抜け止め機能を発揮することになる。これは、スタンド１２を合成樹脂材料で成形していることから、樹脂弾性により左右側部１２Ａ，１２Ｂの間隔が広がり、突起３１ａ，３１ａが突起１３ａ，１３ａを乗り越えることができるという樹脂弾性を利用したものである。
【００２９】
ここで、係合溝部１３と突条部３１は同一の大きさ（半径）の円弧をなすように予め形成されているので、スタンド１２はブースタ本体１１に対してスムーズに回転移動することとなり、ゴム支持脚１６は下面側開口から収納凹部３２内に進入するのでスタンド１２と干渉することなく、前記回転移動をスムーズに行うことができる。また、電源コード１５の、機器ケース１１Ａへの接続部分が設けられている部分に対応して、連結部１２Ｃには切り欠き１２Ｃｂが形成されているので、前記接続部分とスタンド１２とが、取り付け状態ではもちろん、取り付け作業の際にも干渉しない構成とされている。
【００３０】
このスタンド取り付け状態では、収納凹部３２の開放端は下面側に位置し、係合溝部１３及び突条部３１はスタンド１２によって隠蔽されるので（図７（ｃ）参照）、外観上どのように着脱可能に取り付けられるか定かでなく見栄えに優れる。よって、見栄えを損ねることなく、スタンド１２を取り付けることができ、そのスタンド１２によって、安定した縦向き設置状態を実現することができる。
【００３１】
前記実施の形態では、機器ケース１１Ａ側に円弧状の係合溝部１３を、スタンド１２側に突条部３１をそれぞれ設けているが、本発明はそれに限定されるものではなく、機器ケース側に円弧状の突条部を、スタンド側に係合溝部をそれぞれ設ける構成とすることができるのはもちろんである。そして、このように円弧状の突条部を機器ケース側に設ける場合には、ゴム支持脚により横向きに安定設置できるように、突条部の高さがゴム支持脚の高さと同一であるかそれ以下であることが必要である。
【００３２】
前記実施の形態は、卓上ブースタに適用した例であるが、本発明はそれに限定されるものではなく、他の卓上電子機器に適用することも可能である。
【図面の簡単な説明】
【００３３】
【図１】本発明に係る卓上電子機器である卓上ブースタの縦向き設置状態を示す側面図である。
【図２】前記卓上ブースタの横向き設置状態を示す側面図である。
【図３】ブースタ本体の斜視図である。
【図４】図３に示すブースタ本体を反転させた状態を示す斜視図である。
【図５】上側から見たスタンドの斜視図である。
【図６】下側から見たスタンドの斜視図である。
【図７】（ａ）〜（ｃ）はそれぞれスタンドの装着動作の説明図である。
【符号の説明】
【００３４】
１    卓上ブースタ
１１    ブースタ本体
１１Ａ    機器ケース
１１Ａａ，１１Ａｂ    側面部
１１Ａｃ    周回面部
１１Ａｃａ，１１Ａｃｂ    面部
１１Ａｄ    角部
１２    スタンド
１２Ａ，１２Ｂ    側部
１２Ａａ，１２Ｂａ    内側面
１２Ｃ    連結部
１２Ｃａ    係合凹部
１３    係合溝部
１３ａ    突起
１６    ゴム支持脚
３１    突条部
３１ａ    突起
３２    収納凹部
【図１】
0004531011.tif 000002
【図２】
0004531011.tif 000003
【図３】
0004531011.tif 000004
【図４】
0004531011.tif 000005
【図５】
0004531011.tif 000006
【図６】
0004531011.tif 000007
【図７】
0004531011.tif 000008